(57)【要約】      （修正有）【課題】投てき時に水平飛行姿勢を安定的に維持した状態で遠方に飛行させることができる共に、水平主翼部及び垂直尾翼部を揺動させつつ水中を浮遊させることができるフィッシングルアー兼投げ釣り用錘を提供する。【解決手段】リール糸通し孔２１を後端部に備えて略流線形に形成されるルアー本体２０と、ルアー本体２０の中間位置で回動可能に軸支される二つの水平主翼部２２と、ルアー本体２０の上面後端部で回動可能に軸支される一つの垂直尾翼部２４と、ルアー本体２０の上面先端部に備えられる前後の向きを決定する上段錘部２６と、ルアー本体２０の下面先端部から略中央箇所に亘って備えられる上下の向きを決定する下段錘部２７と、から成り、水平主翼部２２は、前方に折り畳まれた状態から左右に夫々拡開した状態へと回動可能であると共に、垂直尾翼部２４は、前方に折り畳まれた状態から上方に起立した状態へと回動可能である。【選択図】図１
0003209548.tif 000002
【実用新案登録請求の範囲】
【請求項１】
リール糸の先端に取り付けられて水中を浮遊するフィッシングルアー兼投げ釣り用錘であって、
前記フィッシングルアー兼投げ釣り用錘は、リール糸通し孔を後端部に備えて略流線形に形成されるルアー本体と、該ルアー本体の所定中間位置で回動可能に軸支される二つの水平主翼部と、該ルアー本体の上面後端部で回動可能に軸支される一つの垂直尾翼部と、該ルアー本体の上面先端部に備えられる前後の向きを決定する上段錘部と、該ルアー本体の下面先端部から略中央箇所に亘って備えられる上下の向きを決定する下段錘部と、から成り、
前記水平主翼部は、前方に折り畳まれた状態から左右に夫々拡開した状態へと回動可能であると共に、前記垂直尾翼部は、前方に折り畳まれた状態から上方に起立した状態へと回動可能であることを特徴とするフィッシングルアー兼投げ釣り用錘。
【請求項２】
前記水平主翼部は、前方に折り畳まれた状態において、翼先が内側後方へ傾斜した形状に成形されて成ることを特徴とする請求項１に記載のフィッシングルアー兼投げ釣り用錘。
【請求項３】
前記垂直尾翼部は、上方に起立した状態において、翼先が上側後方へ傾斜した形状に成形されて成ることを特徴とする請求項１または請求項２に記載のフィッシングルアー兼投げ釣り用錘。
【請求項４】
前記下段錘部の下面長手方向に所定深さの凹溝が形成され、該凹溝内所定箇所に略水平方向から下方略鉛直方向へ屈曲した釣り糸通し管が備えられていることを特徴とする請求項１から請求項３のいずれか記載のフィッシングルアー兼投げ釣り用錘。
【請求項５】
前記ルアー本体の後端部が、斜め下方に屈折した形状に成形されて成ることを特徴とする請求項１から請求項４のいずれか記載のフィッシングルアー兼投げ釣り用錘。
【考案の詳細な説明】
【技術分野】
【０００１】
本考案は、フィッシングルアー及び投げ釣り用錘に関し、具体的には、投てき時において水平飛行姿勢を維持したまま安定的により遠くに飛ばすことが可能なフィッシング用品に関するものである。
【背景技術】
【０００２】
従来より、昆虫や小魚を人工的に疑似餌化させたプラグ、ジグ、スピナー、ワームなどを使用して魚釣りをするルアーフィッシングが知られている。
【０００３】
上記におけるプラグ、ジグ、スピナー、ワームなどを人工的に疑似餌化させたルアーの動きは、リール竿の操作とルアー自体の形状によって釣果が大きく異なることから、リール竿の操作技術の熟練はもとより、実際の昆虫や小魚の動きに合わせたルアー自体の擬態形状ならびに擬態動作性能が求められるものであった。
【０００４】
従来より、上記における釣り人の要求を満たすため、例えば、疑似ワームについて水面で上下するアクションをより適切に容易に行ない得る「ルアー用水面アンカー」（特許文献１）が提案され、公知技術となっている。具体的には、頭部と胸部と腹部と脚と翅からなる水に浮く疑似昆虫の水面アンカーで、胸部の左右に貫通する挿通孔にやや突出する管を嵌合し、翅支持金具を回動自在に挿通し、プラスチック弾性薄板の翅を翅支持金具により係合固定し、弾性薄板の脚を胸部の下部側方で形成し、翅を回動させて脚の上に係合させて翅支持金具とで挟持して固定可能にし、腹部後端部に釣り糸取付け環を挿通し、腹部にプラスチック板の翅挟持板と、該翅挟持板の位置で腹部の下方の左右の支持板と、支持板の端部で回動する翅挟持金具と、左右の支持板間で翅挟持金具に固定され共に前後に回動する透明プラスチック板の水受け板兼係止具と、その先端に係合する掛け金具を翅係止部を有する釣り糸取付け環に回動自在に取付けた手段を採用するものである。
【０００５】
しかしながら、かかる「ルアー用水面アンカー」の提案は  リール巻き上げ時に翅部が巻き上げ方向に対して略直角に立ち上がることになり、その結果翅部が水面の抵抗をもろに受けることとなり、水に浮く疑似昆虫の動きを正確に再現することができないと共に、アンカー自体の重心位置がアンカーの中心にあるため、投てき時においてアンカー自体の水平飛行姿勢を維持したまま安定的により遠くに飛ばすことができないといった問題点があった。
【０００６】
また、ルアーフィッシングの場面ごとに変化する要求に応じて、翼部材の形状が変化する「フィッシングルアー」（特許文献２）が提案され、公知技術となっている。具体的には、翼部材が複数のリンク部材で構成されており、ルアー本体に対して、前側リンクがビスで固定され、後側リンクがスライドプレートに対してビスで固定され、そのスライドプレートは、ロッド部材に固定され、釣り糸に作用する張力が、スライドプレートに作用するように構成され、ロッド部材の周囲にはコイルスプリングが巻装され、スライドプレートをルアー本体の後方（翼部材が展開する方向）側に付勢する手段を採用するものである。
【０００７】
しかしながら、かかる「フィッシングルアー」の提案は、ルアー本体の飛行姿勢が前方に位置するタングと翼部とのみで制御されるため、投てき時にルアー本体が上投てき方向に対して上下方向に回転する可能性があってルアーの形状が小魚に限定されるという問題と、投てき時においてアンカー自体の重心位置がアンカーの中心にあるため、投てき軌道の方向性が安定しない（単なる錘による遠心力で飛ばされる状態）と共に、ルアー本体に左右方向のバランスを調整する尾翼構造が設けられていないことによって、水平飛行姿勢を安定的に維持した状態でより遠くに飛ばすことが難しいといった問題点があった。
【０００８】
さらに、キャスティングする際の空気の抵抗をなるべく減らし、それによって正確にキャスティングすることができ、しかも魚の餌である虫等の形を模したルアーが水面を流れる際、よりリアルにその虫等の振る舞いを表して、魚をより強く誘き寄せることができる「ルアー」（特許文献３）が提案され、公知技術となっている。具体的には、水面を浮遊させて魚を誘うルアーであって、ルアー本体の水面から露出する上部に一対の翼部が夫々揺動可能に取り付けられ、その翼部が該上部から延びて水中に部分的に没するようにしたことを特徴とするもので、翼部は、夫々が左右に広げた位置と道糸方向に対して閉じた位置との間で揺動可能とする手段を採用するものである。
【０００９】
しかしながら、かかる「ルアー」の提案は、投てき時においてアンカー自体の重心位置がアンカーの中心にあるため、投てき軌道の方向性が安定しない（単なる錘による遠心力で飛ばされる状態）と共に、ルアー本体に左右方向のバランスを調整する尾翼構造が設けられていないことによって、水平飛行姿勢を安定的に維持した状態でより遠くに飛ばすことが難しいといった問題点があった。
【００１０】
本出願人は、以上のような従来のフィッシングルアーにおける水平飛行姿勢を安定的に維持したままより遠くに飛ばすことができないという問題点に着目し、ルアー自体の擬態形状ならびに動作性能において実際の昆虫や小魚に合わせた性能を備えた上で、上記の問題を解決することができないものかという着想の下、投てき時においては水平主翼部がルアー本体の両側に拡開すると共に垂直尾翼部が立ち上がることで水平飛行姿勢を安定的に維持した状態で遠方に飛行させることができる共に、リール糸巻き上げ時においては水平主翼部及び垂直尾翼部が折り畳まれて水圧抵抗を減少させることができ、さらに、リール竿のリールの巻き上げ操作と竿の動きに合わせて水平主翼部及び垂直尾翼部を揺動させながら水中を浮遊させることができるフィッシングルアーを開発し、本考案における「フィッシングルアー兼投げ釣り用錘」の提案に至るものである。
【先行技術文献】
【特許文献】
【００１１】
【特許文献２】実用新案登録第３０６８１９４号公報
【特許文献２】特開２０００−９３０４５号公報
【特許文献３】特開２００５−２４５２４５号公報
【考案の概要】
【考案が解決しようとする課題】
【００１２】
本考案は、上記問題点に鑑み、投てき時においては水平主翼部がルアー本体の両側に拡開すると共に垂直尾翼部が立ち上がることで水平飛行姿勢を安定的に維持した状態で遠方に飛行させることができる共に、リール糸巻き上げ時においては水平主翼部及び垂直尾翼部が折り畳まれて水圧抵抗を減少させることができ、さらに、リール竿のリールの巻き上げ操作と竿の動きに合わせて水平主翼部及び垂直尾翼部を揺動させつつ水中を浮遊させることができるフィッシングルアー兼投げ釣り用錘を提供することを課題とする。
【課題を解決するための手段】
【００１３】
上記課題を解決するため、本考案は、リール糸の先端に取り付けられて水中を浮遊するフィッシングルアー兼投げ釣り用錘であって、リール糸通し孔を後端部に備えて略流線形に形成されるルアー本体と、該ルアー本体の所定中間位置で回動可能に軸支される二つの水平主翼部と、該ルアー本体の上面後端部で回動可能に軸支される一つの垂直尾翼部と、該ルアー本体の上面先端部に備えられるキャスティング時の前後の向きを決定する上段錘部と、該ルアー本体の下面先端部から略中央箇所に亘って備えられる上下の向きを決定する下段錘部と、から成り、水平主翼部は、前方に折り畳まれた状態から左右に夫々拡開した状態へと回動可能であると共に、垂直尾翼部は、前方に折り畳まれた状態から上方に起立した状態へと回動可能である手段を採る。
【００１４】
また、本考案は、前記水平主翼部について、前方に折り畳まれた状態において、翼先が内側後方へ傾斜した形状に成形されて成る手段を採り得る。
【００１５】
さらに、本発明は、前記垂直尾翼部について、上方に起立した状態において、翼先が上側後方へ傾斜した形状に成形されて成る手段を採り得る。
【００１６】
またさらに、本発明は、前記下段錘部の下面長手方向に所定深さの凹溝が形成され、該凹溝内所定箇所に略水平方向から下方略鉛直方向へ屈曲した釣り糸通し管が備えられている手段を採用し得る。
【００１７】
さらにまた、本発明は、前記ルアー本体の後端部が、斜め下方に屈折した形状に成形されて成る手段を採り得る。
【考案の効果】
【００１８】
本考案にかかるフィッシングルアー兼投げ釣り用錘によれば、水平主翼部がルアー本体に対して左右方向へ夫々回動（拡開）可能に備えられることによって、投てき時は、最初は閉じた状態であることで投げやすい上、飛行するに伴って空気抵抗を受けて拡開することによって、ルアー本体を安定的且つ遠くに飛ばすことができる、といった優れた効果を奏する。
【００１９】
また、本考案にかかるフィッシングルアー兼投げ釣り用錘によれば、水平主翼部がルアー本体に対して左右方向へ夫々回動（拡開）可能に備えられることによって、リール糸巻き上げ時は、水平主翼部が水の抵抗を受けて折り畳まれて水中の障害物に引っ掛かることがない上、リール竿のリール巻き上げ操作と竿の動きによって水平主翼部自体が左右に揺動して、魚のヒレまたは昆虫の羽の動きに似せることで魚を効果的に誘引することができる、といった優れた効果を奏する。
【００２０】
さらに、本考案にかかるフィッシングルアー兼投げ釣り用錘によれば、ルアー本体の上面後端部に垂直尾翼部が備えられていることによって、投てき時は、ルアー本体の左右の姿勢を安定的に維持することができると共に、リール糸巻き上げ時は、水の抵抗を受けて水平主翼部と同様に折り畳まれて水中の障害物に引っ掛かることがない上、リール糸の巻き上げ力を最小限に留めることができる、といった優れた効果を奏する。
【００２１】
またさらに、本考案にかかるフィッシングルアー兼投げ釣り用錘によれば、ルアー本体の上面先端部に上段錘部が備えられてルアー自体の重心が前方に位置することによって、投てき時は、ルアー本体の前後の向きを投てき推進力を利用して決定することができると共に、投てき推進力を効果的に増すことができる、といった優れた効果を奏する。
【００２２】
さらにまた、本考案にかかるフィッシングルアー兼投げ釣り用錘によれば、ルアー本体の下面先端部から略中央箇所に亘って下段錘部が備えられていることによって、ルアー本体の上下の向きならびにルアー本体の水平状態を安定的に決定することができる、といった優れた効果を奏する。
【００２３】
そしてまた、本考案にかかるフィッシングルアー兼投げ釣り用錘によれば、上段錘部と下段錘部が備えられることによって、ルアーとして機能するのみならず、錘としての役割をも果たすものであって、従来のルアーの様に別体の錘を取り付ける必要がない、といった優れた効果を奏する。
【図面の簡単な説明】
【００２４】
【図１】本考案にかかるフィッシングルアー兼投げ釣り用錘を示す説明図である。
【図２】本考案にかかるフィッシングルアー兼投げ釣り用錘の投てき時の作動状態を示す説明図である。
【図３】本考案にかかるフィッシングルアー兼投げ釣り用錘のリール糸巻き上げ時の作動状態を示す説明図である。
【図４】本考案にかかるフィッシングルアー兼投げ釣り用錘の下段錘部を示す説明図である。
【図５】本考案にかかるフィッシングルアー兼投げ釣り用錘の水平主翼部の働きを示す説明図である。
【図６】本考案にかかるフィッシングルアー兼投げ釣り用錘の垂直尾翼部の働きを示す説明図である。
【考案を実施するための形態】
【００２５】
本考案にかかるフィッシングルアー兼投げ釣り用錘１０は、投てき時においては水平主翼部２２がルアー本体２０の両側に拡開すると共に垂直尾翼部２４が立ち上がることで水平飛行姿勢を安定的に維持した状態で遠方に飛行させることができる共に、リール糸３１巻き上げ時においては水平主翼部２２及び垂直尾翼部２４が折り畳まれて水圧抵抗を減少させることができ、さらに、リール竿のリール巻き上げ操作と竿の動きに合わせて水平主翼部２２及び垂直尾翼部２４を揺動させつつ水中を浮遊させることができる手段を採ったことを最大の特徴とする。
以下、本考案にかかるフィッシングルアー兼投げ釣り用錘１０の実施形態を、図面に基づいて説明する。
【００２６】
尚、本考案のフィッシングルアー兼投げ釣り用錘１０は、以下に述べる実施例に限定されるものではなく、本考案の技術的思想の範囲内、すなわち同一の作用効果を発揮できる形状や寸法等の範囲内で、適宜変更することができる。
【００２７】
図1は、本考案にかかるフィッシングルアー兼投げ釣り用錘１０の説明図であり、（ａ）は全体斜視図、（ｂ）は分解斜視図である。
本考案にかかるフィッシングルアー兼投げ釣り用錘１０は、リール糸３１の先端に取り付けられて水中を浮遊するフィッシングルアー及び投げ釣り用錘であって、ルアー本体２０と、水平主翼部２２と、垂直尾翼部２４と、上段錘部２６と、下段錘部２７と、で構成される。
【００２８】
ルアー本体２０は、リール糸通し孔２１を後端部に備え、空気抵抗を最小限に軽減すべく略流線形を有して形成されるもので、必要に応じて昆虫や小魚の形状を模して成形される。
尚、リール糸通し孔２１を備えたルアー本体２０の後端部について、図面に示すように、斜め下方に屈折した形状に成形することが考え得る。かかる態様を採用することで、リール糸３１を屈折させることなく、リール糸通し孔２１を通過し更に前方へ真っ直ぐに延進させることが可能となる。
【００２９】
水平主翼部２２は、一のルアー本体２０に対し二つ備えられ、該ルアー本体２０の所定中間位置において、前方に折り畳まれた状態から左右に夫々拡開した状態へと回動可能に軸支されている。投てき時においては、水平主翼部２２が左右方向へ夫々開いて飛行体の翼の役目を果たし、リール糸３１の巻き上げ時は、水平主翼部２２が前方に折り畳まれて水中の障害物に引っ掛かることがなく、リール巻き上げ操作と竿の動きにより左右に揺動させることも可能で、魚のヒレや昆虫の羽の動き様に擬態化させることもできる。水平主翼部２２の回動（拡開）角度は、ルアー本体２０に水平主翼部２２と接する回動ストッパー２３を設けて、その拡開範囲を制御している。
【００３０】
前記水平主翼部２２の翼先２２ａの形態について、前方に折り畳まれた状態において、内側後方へ傾斜した形状に成形されている。かかる形状を採ることで、投てき時において傾斜した翼先２２ａに空気の抵抗を受けて、水平主翼部２２の回動（拡開）に資することとなり、完全に拡開した後は、空気を後方へ逃がす役割を果たすものである。
【００３１】
垂直尾翼部２４は、一のルアー本体２０に対し一つ備えられ、該ルアー本体２０の上面後端部において、前方に折り畳まれた状態から上方に起立した状態へと回動可能に軸支されている。投てき時においては、垂直尾翼部２４が後方に倒れ起立状態を為して所謂飛行体の尾翼の役目を果たし、リール糸３１の巻き上げ時は、垂直尾翼部２４が前方に倒れるように折り畳まれて所謂船体の舵取り翼の役割を果たすと共に、水中の障害物に引っ掛かることがなく、キャスティング操作により上下に揺動させることも可能で、昆虫の羽の動き様に擬態化させることもできる。垂直尾翼部２４は、その後端辺２５ｃがルアー本体２０に接するまで回動可能であり、よって垂直尾翼部２４の回動（起立）角度は、垂直尾翼部２４における下端辺２４ｃの傾斜角度によって決定される。
【００３２】
前記垂直尾翼部２４の翼先２４ａの形態について、上方に起立した状態において、上側後方へ傾斜した形状に成形されている。かかる形状を採ることで、投てき時において傾斜した翼先２４ａに空気の抵抗を受けて、垂直尾翼部２４の回動（起立）に資することとなり、完全に起立した後は、空気を後方へ逃がす役割を果たすものである。
また、垂直尾翼部２４が上方に起立した状態において、該垂直尾翼部２４の前方に位置する端辺にえぐり部２４ｂが形成されていることで、飛行中の空気抵抗を低減する構造を採っている。
【００３３】
上段錘部２６は、ルアー本体２０の上面先端部に備えられ、投てき時における前後の向きを決定すると共に、推進力を得る役割を果たす。すなわち、上段錘部２６がルアー本体２０の上面先端部に備えられることによって、フィッシングルアー兼投げ釣り用錘１０全体の重心が前方に位置することとなり、投てき時においてフィッシングルアー兼投げ釣り用錘１０の先端が投てき方向に必然的に向くこととなって、フィッシングポイントに正確に打ち込むことができる。
【００３４】
下段錘部２７は、ルアー本体２０の下面先端部から略中央箇所に亘って備えられ、投てき時においてその重心効果によりルアー本体２０の上下の向きを決定する役目を果たす。すなわち、下段錘部２７がルアー本体２０の下面に備えられることによって、フィッシングルアー兼投げ釣り用錘１０全体の重心が下方に位置することとなり、投てき時においてフィッシングルアー兼投げ釣り用錘１０の上下の向きが必然的決定されることとなる。
【００３５】
また、下段錘部２７の下面長手方向に所定深さの凹溝２８が形成され、該凹溝２８内所定箇所には略水平方向から下方略鉛直方向へ屈曲した釣り糸通し管２９が備えられている。該釣り糸通し管２９には、リール糸通し孔２１を通過したリール糸３１が後方の挿入口から挿通され、屈曲した管内で方向転換をして下方の送出口から送り出されたリール糸３１に、釣り針３０（釣り糸）が結い付けられることとなる。これにより、釣り針３０が遊動自在に備えられることとなって、魚が掛かった時の動きが竿に伝わり易く、また、大型の魚が掛かった際にルアー本体２０その他の構成要素の変形を防止することができる。
尚、釣り糸通し管２９における挿入口及び送出口は、リール糸３１の損傷を防止すべく、テーパ状に拡開された形状に成形されている。また、該釣り糸通し管２９の水平長さ並びに鉛直長さについては、長さを増すことで重量も当然に増すこととなるため、錘としての作用効果を考慮して任意に決定される。
【００３６】
尚、フィッシングルアー兼投げ釣り用錘１０の各構成要素の素材については、特に限定するものではなく、例えば、アルミ、ステンレス、真鍮、銅などの非錆金属、木材、合成樹脂、発泡樹脂、金属や高分子素材による合成繊維、パルプモールドの何れかまたはその組み合わせによって形成され、また、各構成要素（ルアー本体２０、水平主翼部２２、垂直尾翼部２４、上段錘部２６、下段錘部２７、釣り糸通し管２９）が同一素材であると夫々別素材であるとを問うものではない。
【００３７】
以上で構成される本考案にかかるフィッシングルアー兼投げ釣り用錘１０は、投てき時においては水平主翼部２２及び垂直尾翼部２４が空気抵抗を受けて拡開・起立することで安定的に遠方に飛行させることができる共に、リール糸３１巻き上げ時においては水平主翼部２２及び垂直尾翼部２４が前方に折り畳まれて水中の障害物に引っ掛かることがなく、且つ、リール巻き上げ操作と竿の動きにより水平主翼部２２及び垂直尾翼部２４が左右・上下に揺動（回動）して水中を浮遊するフィッシングルアー兼投げ釣り用錘１０の提供を図ることができる。
【００３８】
図２は、本考案にかかるフィッシングルアー兼投げ釣り用錘１０の投てき時の作動状態を示す説明図である。
図示される状態は、投てき時のフィッシングルアー兼投げ釣り用錘１０を上方から見た説明図であって、上段錘部２６の重量効果によってルアー本体２０が投てき方向に向き、下段錘部２７の重量効果によってルアー本体２０の上下の向きが決定され、空気抵抗によって水平主翼部２２が夫々左右に開くと共に垂直尾翼部２４が上方へ起立する。これにより、水平主翼効果によってより遠方への投てきが可能であると共に、垂直尾翼効果によってルアー本体２０の左右の傾き姿勢が維持され、フィッシングルアー兼投げ釣り用錘１０をより遠くのフィッシングポイントに正確に打ち込むことが可能となる。
【００３９】
図３は、本考案にかかるフィッシングルアー兼投げ釣り用錘１０のリール糸巻き上げ時の作動状態を示す説明図である。
図示される状態は、リール糸３１巻き上げ時のフィッシングルアー兼投げ釣り用錘１０を上方から見た説明図であって、ルアー本体２０の後端部に設けられているリール糸通し孔２１にリール糸３１が通されているため、リール糸３１巻き上げにより投てき方向と反対にルアー本体２０が引っ張られることとなり、水平主翼部２２及び垂直尾翼部２４が水圧抵抗によって前方に折り畳まれて格納され、リール糸３１巻き上げ時の巻き上げ力を軽減することができる。
また、リール巻き上げ操作と竿の動きによって水平主翼部２２及び垂直尾翼部２４を揺動させて、魚を誘引するテクニックとして使用することができる。
【００４０】
図４は、本考案にかかるフィッシングルアー兼投げ釣り用錘１０の下段錘部を示す説明図であり、（ａ）は下段錘部２７を前面から見た要部拡大説明図、（ｂ）は下段錘部２７を側面から見た要部拡大説明図である。
下段錘部２７がルアー本体２０の下面先端部から略中央箇所に亘って備えられていることによって、その重量効果よりルアー本体２０の上下姿勢が決定される。
また、該凹溝２８内所定箇所に釣り糸通し管２９を備えることによって、釣り針３０が遊動自在に備えられることとなって、魚が掛かった時の動きが竿に伝わり易く、また、大型の魚が掛かった際にルアー本体２０その他の構成要素の変形を防止することもできる。
【００４１】
図５は、本考案にかかるフィッシングルアー兼投げ釣り用錘１０の水平主翼部の働きを示す説明図であり、（ａ）は水平主翼部２２の空気抵抗を示す要部拡大断面説明図、（ｂ）は水平主翼部２２の水圧抵抗を示す要部拡大断面説明図である。
水平主翼部２２の外形端部がテーパ部２２ｂを有して形成されていることによって、空気抵抗・水圧抵抗を最小限に軽減して、フィッシングルアー兼投げ釣り用錘１０を安定的に飛行させ、また、安定的に水中に浮遊させることができる。
【００４２】
図６は、本考案にかかるフィッシングルアー兼投げ釣り用錘１０の垂直尾翼部２４の働きを示す説明図であり、（ａ）は垂直尾翼部２４の投てき時の作動状態を示す要部拡大説明図、（ｂ）は垂直尾翼部２４のリール糸３１巻き上げ時の作動状態を示す要部拡大説明図ある。
垂直尾翼部２４は、ルアー本体２０の上面後端部において、前方に折り畳まれた状態から上方に起立した状態へと回動可能に軸支されており、図６（ａ）に示すように、投てき時には垂直尾翼部２４が空気抵抗を受けて起立状態となって所謂飛行体の尾翼の役目を果たし、ルアー本体２０の左右の姿勢を安定させる。
尚、垂直尾翼部２４の翼先２４ａに傾斜面が形成されることで、投てき時に該翼先２４ａが空気抵抗を受けて垂直尾翼部２４が回動して起立する構造としている。また、起立状態の垂直尾翼部２４の前方に位置する端辺には、えぐり部２４ｂが形成されており、飛行中の空気抵抗を低減する構造を採っている。
【００４３】
リール糸３１巻き上げ時には、図６（ｂ）に示すように、垂直尾翼部２４の後方端面２４ｄが水圧抵抗を受けることによって、垂直尾翼部２４が前方に倒れて水中での左右のバランスを保つと共に、水圧抵抗を軽減する役割を果たす。
【００４４】
以上で構成される本考案にかかるフィッシングルアー兼投げ釣り用錘１０は、方向性とバランス性を決定する多様な構造を有していることから、遠投性とフィッシュングポイントへ打ち込む正確性に優れた従来にないフィッシングルアー及び投げ釣り用錘の提供を可能にする。
【産業上の利用可能性】
【００４５】
本考案は、従来型のフィッシングルアーとは異なり、上段錘による進行方向性ならびに遠投性と、左右主翼による揚力性と、垂直尾翼による左右の安定性と、下段錘による上下方向性（飛行姿勢）が総合的に確保できるものであって、従来のフィッシングルアーと比して遠投性とフィッシュングポイントへの正確性に優れたものである。したがって、本考案にかかる「フィッシングルアー兼投げ釣り用錘」の産業上の利用可能性は極めて大きいものと思料する。
【符号の説明】
【００４６】
１０    フィッシングルアー兼投げ釣り用錘
２０    ルアー本体
２１    リール糸通し孔
２２    水平主翼部
２２ａ  翼先
２２ｂ  テーパ部
２３    回動ストッパー
２４    垂直尾翼部
２４ａ  翼先
２４ｂ  えぐり部
２４ｃ  下端辺
２４ｄ  後方端面
２６    上段錘部
２７    下段錘部
２８    凹溝
２９    釣り針通し管
３０    釣り針
３１    リール糸
【図１】
0003209548.tif 000003
【図２】
0003209548.tif 000004
【図３】
0003209548.tif 000005
【図４】
0003209548.tif 000006
【図５】
0003209548.tif 000007
【図６】
0003209548.tif 000008